(57)【特許請求の範囲】
【請求項１】
無機又は有機のミネラルを除去可能な超微小の孔が設けられ、取り入れた水道水等から逆浸透圧により不浄化物を採取するメンブレン・フィルタ及び該メンブレン・フィルタにより採取された不浄化物を排出する不浄化物排出部と、メンブレン・フィルタの下流側に設けた他のフィルタとを有する浄水器において、メンブレン・フィルタの上流側で分岐し、メンブレン・フィルタと該他のフィルタとの間で合流するメンブレン・フィルタの迂回路と、該迂回路の開閉操作可能な開閉弁とを設けたことを特徴とする浄水器。
【請求項２】
取り入れた水道水等から、ニゴリ、鉄さび、かび等の比較的大きな不浄化物を採取するプリフィルタを前記メンブレン・フィルタの上流側に設けるとともに、前記迂回路は、プリフィルタとメンブレン・フィルタとの間で分岐することを特徴とする請求項１記載の浄水器。
【請求項３】
塩素ガス等の悪臭ガスを除去するカーボン・フィルタを前記メンブレン・フィルタの上流側に設けるとともに、前記迂回路は、カーボン・フィルタの上流側で分岐することを特徴とする請求項１又は請求項２に記載の浄水器。
【請求項４】
前記他のフィルタは、水分子の重合を切断可能な遠赤外線領域の波長をもつ電磁波を放射する電磁波放射物質及び有用金属元素含有物質によって形成され、前記プリフィルタ又は前記メンブレン・フィルタにより不浄化物が除去された水流に、該電磁波を照射し、かつイオン化した有用金属を供給するミネラル・フィルタ又は塩素ガス等の悪臭ガスを除去するカーボン・フィルタであることを特徴とする請求項１乃至請求項３のいずれかに記載の浄水器。
【請求項５】
前記ミネラル・フィルタの下流側に、カーボン・フィルタ及び圧力タンクに分岐する分岐路を設けるとともに、該カーボン・フィルタはその下流側に浄水が噴出する蛇口が設けられ、該圧力タンクはミネラル・フィルタを通過した水を加圧しつつ貯溜するとともに、前記蛇口が開放された場合には前記分岐路を介して水流をカーボン・フィルタ側に輸送することを特徴とする請求項４記載の浄水器。
【請求項６】
前記プリフィルタと、該プリフィルタからの水流を前記カーボン・フィルタへ輸送するポンプと、該ポンプによって輸送された水流から悪臭ガスを除去する前記カーボン・フィルタと、悪臭ガスが除去された水流から無機若しくは有機のミネラル等の不浄化物を逆浸透圧により採取するメンブレン・フィルタ及び該メンブレン・フィルタにより採取された不浄化物を排出する不浄化物排出部と、該不浄化物が除去された水流に電磁波を照射し、かつイオン化した有用金属を供給するミネラル・フィルタとを設けるとともに、前記迂回路は前記ポンプと前記カーボン・フィルタとの間で分岐し、メンブレン・フィルタとミネラル・フィルタとの間で合流することを特徴とする請求項１乃至請求項３のいずれかに記載の浄水器。
【発明の詳細な説明】
【０００１】
【発明の属する技術分野】
本発明は、浄水器に係り、特にメンブレン・フィルタを用いて、水道水等を浄化して、不浄化物を除去する浄水器に関する。
【０００２】
【従来の技術】
従来から、メンブレン・フィルタを用いて、水道水を浄化するものがあった。メンブレン・フィルタ(membrane filter) 材は、極めて微細な粒子を捕捉するのに適した薄い膜状の濾材で、材質はポリアリルサルホン又は酢酸セルロース等である。超微小の径は比較的均一であり、０．００１μｍ〜０．０１μｍ、好ましくは０．００１μｍ〜０．００５μｍ程度まで各種ある。粉塵、細菌類、寄生虫、農薬、放射能汚染物質、発癌性の強い塩素化合物である猛毒のダイオキシン・トリハロメタン・クロロ酢酸、細胞等の捕集及び除去に用いられる。
【０００３】
該メンブレン・フィルタは逆浸透圧により、取り入れられた水道水等から不浄化物を採取する。
ここで、「逆浸透圧」とは、浸透圧のように非常に細い孔へ水がしみ込んで通過していく圧力ではなく、外からの強い水圧の力がなければ通過できないような超微小な孔の膜を水が通過する際に、加えられる圧力をいう。この逆浸透圧を利用した膜を逆浸透膜といい、すべての細菌類からさらにもっと小さいウイルス、さらには化学物質である塩素をはじめ、ＣａやＭｇ等のミネラル類までもがこの超微小の孔を通過できずに取り除かれる。
【０００４】
【発明が解決しようとする課題】
このように、メンブレン・フィルタには超微小の孔が設けられ、該孔を通って水流を通過させるものであるため、メンブレン・フィルタの上流側では流速が大きいものであっても、メンブレン・フィルタの超微小の孔の通過後の下流側では、流速が大幅に減少する。したがって、メンブレン・フィルタの下流側にあるフィルタは、メンブレン・フィルタを通過した水流によっては、フィルタに蓄積した不浄化物及び雑菌を有効に除去し又は洗浄することができないおそれがあるという問題点を有していた。
【０００５】
本発明は、第１には、メンブレン・フィルタの下流側に設けたフィルタに蓄積されやすい不浄化物や雑菌の除去又は洗浄をすることができて、浄化のレベルが高い浄水器を提供することを目的とするものである。
第２には、簡単な構造によって、不浄化物や雑菌の除去又は洗浄をすることができる安価な浄水器を提供することを目的としてなされたものである。
【０００６】
第３には、フィルタの寿命、即ち浄化の寿命が長い浄水器を提供することを目的としてなされたものである。
第４には、確実で、簡単に不浄化物や雑菌を除去することができる浄水器を提供することを目的としてなされたものである。
【０００７】
【課題を解決するための手段】
以上の技術的課題を解決するため、第一の発明は、無機又は有機のミネラルを除去可能な超微小の孔が設けられ、取り入れた水道水等から逆浸透圧により不浄化物を採取するメンブレン・フィルタ及び該メンブレン・フィルタにより採取された不浄化物を排出する不浄化物排出部と、メンブレン・フィルタの下流側に設けた他のフィルタとを有する浄水器において、メンブレン・フィルタの上流側で分岐し、メンブレン・フィルタと他のフィルタとの間で合流するメンブレン・フィルタの迂回路と、該迂回路の開閉操作可能な開閉弁とを設けたものである。
【０００８】
本発明によると、通常の浄化を行う場合には、前記開閉弁によって迂回路を閉塞させる。すると、水流は、迂回路を通過せずにメンブレン・フィルタを通過する。一方、メンブレン・フィルタの下流側に設けられた他のフィルタを洗浄するには、前記開閉弁によって、迂回路を開放させる。
【０００９】
すると、メンブレン・フィルタに設けられている細孔は超微小の径を有するものであるため、水流にとっての抵抗が大きくメンブレン・フィルタには水流は殆ど進まずに、抵抗のない迂回路に水流は進む。迂回路では水流は流速を落とすことなくメンブレン・フィルタの下流側に設けられている他のフィルタの箇所を大きな流速で通過するので該箇所に蓄積されている不浄化物及び雑菌を排除し又は洗浄することができる。
ここで、「他のフィルタ」は複数のフィルタであっても良い。
【００１０】
第二の発明は、第一の発明において、取り入れた水道水等から、ニゴリ、鉄さび、かび等の比較的大きな不浄化物を採取するプリフィルタをメンブレン・フィルタの上流側に設けるとともに、前記迂回路は、プリフィルタとメンブレン・フィルタとの間で分岐するものである。
本発明によれば、迂回路を通る水流は、プリフィルタを通過したものであるため、ニゴリ、鉄さび、かび等の比較的大きな不浄化物がフィルタに捕獲されるおそれはないので、洗浄をより完全に行うことができる。
【００１１】
第三の発明は、第一の発明又は第二の発明において、塩素ガス等の悪臭ガスを除去するカーボン・フィルタを前記メンブレン・フィルタの上流側に設けるとともに、前記迂回路は、カーボン・フィルタの上流側で分岐するものである。
したがって、本発明によれば、カーボン・フィルタによって、生物に有害な塩素ガス等の悪臭ガス等が除去されていないので、該水流を迂回させて他フィルタを通過させることによって、不浄化物の他に雑菌等を除去することができる。
【００１２】
第四の発明は、第一の発明乃至第三の発明のいずれかにおいて、前記他のフィルタは、水分子の重合を切断可能な遠赤外線領域の波長をもつ電磁波を放射する電磁波放射物質及び有用金属元素含有物質によって形成され、前記プリフィルタ又は前記メンブレン・フィルタにより不浄化物が除去された水流に、該電磁波を照射し、かつイオン化した有用金属を供給するミネラル・フィルタ又は悪臭ガスを除去するカーボン・フィルタである。
本発明によれば、メンブレン・フィルタの下流側に設けたミネラル・フィルタ又はカーボン・フィルタを確実且つ十分に洗浄することができる。
【００１３】
第五の発明は、第四の発明において、前記ミネラル・フィルタの下流側に、カーボン・フィルタ及び圧力タンクに分岐する分岐路を設けるとともに、該カーボン・フィルタはその下流側に浄水が流出する蛇口が設けられ、該圧力タンクはミネラル・フィルタを通過した水を加圧しつつ貯溜するとともに、前記蛇口が開放された場合には前記分岐路を介して水流をカーボン・フィルタ側に輸送するものである。
【００１４】
第六の発明は、第一の発明乃至第三の発明のいずれかにおいて、前記プリフィルタと、該プリフィルタからの水流を前記カーボン・フィルタへ輸送するポンプと、該ポンプによって輸送された水流から悪臭ガスを除去する前記カーボン・フィルタと、悪臭ガスが除去された水流から無機若しくは有機のミネラル等の不浄化物を逆浸透圧により採取するメンブレン・フィルタ及び該メンブレン・フィルタにより採取された不浄化物を排出する不浄化物排出部と、該不浄化物が除去された水流に電磁波を照射し、かつイオン化した有用金属を供給するミネラル・フィルタと、を設けるとともに、前記迂回路は前記ポンプとカーボン・フィルタとの間で分岐し、メンブレン・フィルタとミネラル・フィルタとの間で合流するものである。
これによって、カーボン・フィルタによって悪臭ガスが除去される前の水流をメンブレン・フィルタの下流側にある他のフィルタを通過させることによって、雑菌に有害な悪臭ガスを含む水流によって不浄化物の他に雑菌をも除去させることができる。
【００１５】
【発明の実施の形態】
本発明を実施の形態に基づいて説明する。
図１、図２及び図３に示すように、第一の実施の形態に係る浄水器１は、上流から下流に沿って、水道の蛇口１０、各容器に収納されたプリフィルタ１１、メンブレン・フィルタ１２、ミネラル・フィルタ１３、カーボン・フィルタ１４、及び貯溜タンク１９が順次管で連結され、貯溜タンク１９に設けた浄水用蛇口２０から浄水を得るものである。
【００１６】
プリフィルタ１１は、管２１から流入した水道水からニゴリ、鉄さび、カビ等の比較的大きい不浄化物を除去し管２４に流出する。メンブレン・フィルタ１２は、管２４によって上方から該プリフィルタ１１により比較的大きな不浄化物の除去された水を取り入れて、逆浸透圧により該プリフィルタ１１により除去されなかった不浄化物を採取する。メンブレン・フィルタ１２は、超微小の孔が設けられたメンブレン・フィルタ膜１８が、水の供給方向に沿って層状に配置されるとともに、該メンブレン・フィルタ膜１８に包囲され、上端が閉塞されて側面上部１５に多数の孔が設けられ且つ側面下部１６に孔が設けられていない浄化水回収管１７とが設けられている。
【００１７】
また、該浄化水回収管１７の外側下方には、側面下部１６の外側に溜まった不浄化物を含む水を排出する不浄化物排出管２３が設けられている。該浄化水回収管１７の下端には、当該メンブレン・フィルタ膜１８により不浄化物が除去された水を流出させる管２５が接続される。メンブレン・フィルタ膜１８は、該浄化水回収管１７の軸に沿って網状の袋の縁が取り付けられた該袋内に収容され、該回収管１７に巻かれることによって層状に配置されている。
【００１８】
ミネラル・フィルタ１３は、管２５から水流が供給され、遠赤外線領域に属する数μｍから１０数μｍの波長領域の電磁波を放射する電磁波放射物質及び有用金属元素含有物質によって形成され、前記メンブレン・フィルタ１２により不浄化物が除去された水に、電磁波を照射し、かつイオン化した金属を供給し、管２６に水流を流出させる。
【００１９】
カーボン・フィルタ１４は、管２６から水流が供給され、悪臭ガスを除去して管２７に流出させる。
貯溜タンク１９は、管２７によって、各種フィルタを通過した浄化された水が供給され、浄水を流出可能な浄水用蛇口２０が下方に設けられている。
該タンク１９は、浄化された水を一定量貯溜し、水位が所定高さを越えると、該高さに流入口をもつオーバーフロー排出管２２によって、浄水用蛇口２０とは別のルートで排出される。
【００２０】
本実施の形態に係る浄水器１は、さらに、前記メンブレン・フィルタ１２の第２のタンクを迂回する迂回路２と、該迂回路２の開閉操作が可能な開閉弁３とが設けられている。該迂回路２は、プリフィルタ１１とメンブレン・フィルタ１２との間を結ぶ管２４の分岐点４で分岐し、メンブレン・フィルタ１２とミネラル・フィルタ１３との間を結ぶ管２５の合流点５で合流する。
【００２１】
図中、符号２８は、水道水と、不浄化物排出管２３からの不浄化物を含む水流及び貯溜タンク１９からのオーバーフロー排出管２２からの水流とを相互に混合させないように振り分けるダイバータであり、該ダイバータ２８には、前記不浄化物を含む水流量を調節するための操作部２９が設けられている。
【００２２】
図２は、該ダイバータ２８を詳細に示すものである。
該ダイバータ２８は、有底の略円柱状であって、上部には、水道の蛇口１０に取り着ける受口３１が形成され、下部には容器３２が設けられ、該容器３２の外側面には、給水管として束にまとめられた前記管２１、オーバーフロー排出管２２及び不浄化物排出管２３の各々と接続するニップル２１ａ、２２ａ、２３ａが設けられている。
【００２３】
ニップル２１ａは、ダイバータ２８の内部空間３９と孔２１ｂを介して連通し、オーバーフロー排出管２２についてはダイバータ２８の内部を貫通して下端に排出口をもつ屈曲管２２ｂと連通する。また、ニップル２３ａはダイバータ２８の中央に設けた水流量調節部３３に導管２３ｂによって導き入れられる。水流調節部３３の上部は前記導管２３ｂと連通する略円錐状の小室３４が形成され、小室３４の下側には、略円柱状で内周面が螺刻されダイバータ２８の下端に開口部をもち蝶ネジ３５と螺合する螺合部３８が設けられている。
【００２４】
該蝶ネジ３５は、上部に前記小室３４に隙間をもつ状態で収納される円錐台部３７、中間に螺合部３８と螺合するネジ部３５ａ、下部は調節操作をする操作部２９が設けられている。また、該蝶ネジ３５の内部の中心には、上下方向に沿った縦孔３６が貫通し、前記円錐台部３７内部には横方向に沿った横孔３７ａが貫通し、縦孔３６及び横孔３７ａによって、略Ｔ字状の孔が形成されている。
【００２５】
前記横孔３７ａが前記導管２３ａの方向と一致するように操作部２９を操作すると、導管２３ａ、横孔３７及び縦孔３６と前記不浄化物排出管２３とが連通し、ダイバータ２８の下端の排出口から不浄化物を水流とともに外へ排出することができる。一方、操作部２９によって横孔３７の向きが導管２３ａの方向と略９０°なすように位置させた場合には、不浄化物排出管２３からダイバータ２８の下端の排出口へ至る通路は円錐台部３７と小室３４との間にできる小さな隙間を通る水流に限られ下端の排出口からは水滴が落下する。
【００２６】
ニップル部２１ａ，２２ａ，２３ａには、図示しない３本ホースが接続され、３個の該ニップル部の外周を囲むように外周面が螺刻された円筒状の螺刻部４０が容器３２の外側面に設けられている。ニップル部に接続された３本の各ホースを束ねるように、各ホース毎に１か所の切割りを有する３個の孔が穿設されたスリーブ４１が３本のホースに嵌合して設けられている。該スリーブ４１の外側には、該スリーブの外面と当接する内周面がテーパ面が形成され、前記螺刻部４０と螺合して、該スリーブ４１を押圧してニップル部にホースを固定するホースナット４２が設けられている。
【００２７】
受口３１は容器３２と一体に形成され、受口３１の内壁には、例えば４個の窓が穿設され、各窓から、蛇口等（図示せず）を把持する把持片４３が進退可能に設けられ、該把持片４３を径方向に付勢する筒状の押部４５が該受け口３１の外周に上方向にバネ４４で付勢された状態で上下方向に摺動可能に嵌合している。符号４６はゴム製のパッキンである。
【００２８】
続いて、本実施の形態に係る浄水器を使用する場合について説明する。
水道の蛇口１０を開くと、水流は管２１を通り、プリフィルタ１１を通過する。プリフィルタ１１ではニゴリ、鉄さび、カビ等の比較的大きな不浄化物を採取する。比較的大きな不浄化物が除去された水は、管２４を通って、上方からメンブレン・フィルタ１２に流入する。その際、迂回路２は前記開閉弁３によって閉塞されているので、水流は、分岐点４で迂回路２に進むことはない。
【００２９】
メンブレン・フィルタ１２では、水はメンブレン・フィルタ膜１８を通り浄化水回収管１７の孔に進入する横方向に流れる水流のみが浄化水回収管１７に回収され、メンブレン・フィルタ膜１８を素通りするもの、またはメンブレン・フィルタ膜１８を通ったが浄化水回収管１７の孔に進入しなかったものは、メンブレン・フィルタ膜１８が除去した不浄化物を洗浄しながら側面下部１６の外側に溜まる。該側面下部１６に溜まった不浄化物を含む水は該ダイバータ２８の操作部２９により排出口を開放して排出させる。
【００３０】
浄化水回収管１７によって回収された水は、管２５を通り、遠赤外線領域に属する数μｍから１０数μｍの波長領域の電磁波を放射する電磁波放射物質及び有用金属元素含有物質が設けられたミネラル・フィルタ１３に流入し、不浄化物の除去された水に、電磁波を照射し、かつイオン化した金属を供給する。ミネラル・フィルタ１３を通過した水は、管２６を通って、カーボン・フィルタ１４に流入する。カーボン・フィルタ１４は悪臭ガスを除去し、管２７から浄化水を貯溜タンク１９に流入させて貯溜させる。貯溜水が一定量以上溜まると、オーバーフロー排出管２２を通ってダイバータ２８の屈曲管２２ｂを通って、下端から排出される。
【００３１】
ミネラル・フィルタ１３及びカーボン・フィルタ１４を洗浄して不浄化物及び雑菌等を除去するには、開閉弁３を操作して迂回路２を開放する。すると、水道の蛇口１０から流出してプリフィルタ１１を通過した水は、管２４を通り分岐点４において、流速を落とすことなく迂回路２を通ってミネラル・フィルタ１３及びカーボン・フィルタ１４を直撃し、両フィルタ１３、１４に蓄積されている不浄化物を排除して貯溜タンク１９内に洗い流すことになる。その際、該水には塩素分がまだ除去されずに残っているので、ミネラル・フィルタ１３及びカーボン・フィルタ１４に含まれている雑菌を該塩素分により除去することもできる。
【００３２】
これは、メンブレン・フィルタ１２への水流は、超微小孔をもつメンブレン・フィルタ膜１８によって、ほとんど堰止められるからである。
これによって、ミネラル・フィルタ１３及びカーボン・フィルタ１４に蓄積される不浄化物及び雑菌を洗浄することができるので、より浄化の程度を高くすることができる。従って、ミネラル・フィルタ及びカーボン・フィルタの寿命を増加させることになる。
【００３３】
続いて、第二の実施の形態を図３に基づいて説明する。
本実施の形態に係る浄水器５０は、第１の実施の形態に係る浄水器１と異なり、上流側から下流側に沿って、プリフィルタ１１、カーボン・フィルタ１４、メンブレン・フィルタ１２、ミネラレル・フィルタ１３の順に配列されるとともに、ポンプ５１がプリフィルタ１１とカーボン・フィルタ１４との間に設けられている。
【００３４】
該ポンプ５１は電源５３に接続され、スイッチ５４及びフロート・スイッチ５５によって駆動される。また、該ポンプ５１の駆動又は非駆動に合わせて、ポンプ５１水流を流し又はせき止める電磁弁６６がプリフィルタ１１の上流側に、該ポンプ５１と並列に電源５３に接続されている。フロート・スイッチ５５は、貯溜タンク１９内に設けられ、貯溜タンク１９内の水量が一定値に達した場合には、自動的にポンプ５１の電源を遮断する。
【００３５】
本浄水器５０では、迂回路６２がメンブレン・フィルタ１２を迂回するように設けられている。迂回路６２は、ポンプ５１とカーボン・フィルタ１４とを結ぶ管５２の途中にある分岐点６４で分岐し、メンブレン・フィルタ１２とミネラル・フィルタ１３とを結ぶ管５６の途中の合流点６５で合流する。
本実施の形態によれば、迂回路６２はカーボン・フィルタ１４の上流側で分岐しているので、カーボン・フィルタ１４によって塩素ガスが除去されない水をミネラル・フィルタ１３に送ることができるので、ミネラル・フィルタ１３に蓄積された不浄化物の他に雑菌を除去することができる。
【００３６】
続いて、第三の実施の形態に係る浄水器７０について図４に基づいて説明する。
本実施の形態に係る浄水器７０は、前記各種フィルタ７３、７５、７６、７７や配管等が浄水用蛇口７２が設置されるカウンタ７１等の下方に設けられたものである。
【００３７】
該浄水器７０は、水の上流側から下流側に沿って、水道水はプリカーボン・フィルタ７３、圧力ポンプ７４、メンブレン・フィルタ７５、ミネラル・フィルタ７６、圧力タンク７８、ポスト・カーボン・フィルタ７７、及び浄水用蛇口７２の順に流れるものである。
【００３８】
ここで、プリ・カーボン・フィルタ７３及びポスト・カーボン・フィルタ７７は前記カーボン・フィルタ１４に相当し、主として塩素ガス等の悪臭ガスを除去するものである。
本実施の形態に係る浄水器７０は、該メンブレン・フィルタ７５を迂回する迂回路７９及び該迂回路７９の開閉を操作する開閉弁８０が設けられている。
【００３９】
該迂回路７９は、プリ・カーボン・フィルタ７３の上流側にある前記圧力ポンプ７４の駆動又は非駆動に応じて水流を圧力ポンプ７４に送り又はせき止める電磁弁９４の上流側の分岐点８４で分岐し、メンブレン・フィルタ７５とミネラル・フィルタ７６の間を連通する管８５の途中に設けた合流点８６で合流する。
【００４０】
圧力タンク７８内には、伸縮可能な弾性体で形成された弾性袋９１が設けられ、該弾性袋９１内に水が貯溜される。該弾性袋９１と圧力タンク７８との間には加圧された空気が導入されており、該弾性袋９１内に収容されている水を加圧状態においている。
【００４１】
メンブレン・フィルタ７５には、不浄化物を排出するための排出管９３が設けられ、該排出管９３は、排水を抑えて水がメンブレン・フィルタ７５によって濾過されるようにするための圧力調整を行う圧力コントローラ９５が設けられた経路と、プリ・カーボン・フィルタ７３及びメンブレン・フィルタ７５を水が勢い良く流れてメンブレン・フィルタ７５を洗浄するフラッシング・バルブ９６が設けられた経路とに分岐した後、再び合流するように構成されている。メンブレン・フィルタ７５に蓄積されたこれらの不浄化物排出の処理は、操作部８１によって操作される。
【００４２】
続いて、本実施の形態に係る浄水器７０を使用する場合について説明する。
図４に示すように、水道水はプリ・カーボン・フィルタ７３を通過することによって、悪臭ガスを除去するとともに比較的大きな不浄化物が除去される。その際、開閉弁の操作ダイヤル８０によって、迂回路７９は閉状態となっているので、圧力ポンプ７４によって加圧された水流は、迂回路７９には流れず、管８３を介してメンブレン・フィルタ７５に勢い良く流入する。
【００４３】
該メンブレン・フィルタ７５では、無機若しくは有機のミネラル等の不浄化物を逆浸透圧により採取する。該水流は管８５を通りミネラル・フィルタ７６に流入する。ミネラレル・フィルタ７６では、流入した水流に電磁波を照射し、且つイオン化した有用金属が供給される。
【００４４】
ミネラル・フィルタ７６を通過した水は、分岐管８７及び管９０を通り、一旦、圧力タンク７８に貯溜される。浄水用蛇口７２を開くと、圧力タンク７８によって加圧されていた水は、圧力の低いルート、即ち管９０、分岐管８７及び管８９を通りポスト・カーボン・フィルタ７７に流入し、悪臭ガス等が除去され、さらに管９２を通って浄水用蛇口７２から噴出する。
【００４５】
一方、前記開閉弁の操作ダイヤル８０を操作して迂回路７９を開けると、プリカーボン・フィルタ７３を通らずに悪臭ガス等が除去されていない水道水は分岐点８４から迂回路７９を通り合流点８６で管８５に合流した後ミネラル・フィルタ７６を直撃する。
【００４６】
これによって、ミネラル・フィルタ７６に蓄積された不浄化物及び雑菌を洗い流し、圧力タンク７８内に排出する。浄水用蛇口７２を開けた状態で、前記開閉弁の操作ダイヤル８０により迂回路７９を開状態とすると、水流は、ミネラル・フィルタ７６のみならずポストカーボン・フィルタ７７に蓄積された不浄化物や雑菌を洗い流し、浄水用蛇口７２から不浄化物を排出することになる。
本実施の形態に係る浄水機７０は、浄水用蛇口７２の周囲の空間を広々と利用することができるので便利である。
【００４７】
以上、説明したように本実施の形態に係る浄水器によると、メンブレン・フィルタを迂回する迂回路を設けることによって、メンブレン・フィルタの下流側に設けられているフィルタに蓄積された不浄化物又は雑菌等の除去を十分且つ確実に行うことができる。したがって、フィルタの使用寿命を長くするとともに、長期に渡って信頼性のある浄化水を得ることができる。
【００４８】
また、各実施の形態では、前記各フィルタは個別に各容器に収納され、各容器、ポンプ又は圧力タンク間は管路で連通されるとともに、各容器、ポンプ又は圧力タンクは個別に着脱可能に設けられるとともに、前記迂回路は管路間で分岐及び合流するように設けられている。したがって、各部品の交換や掃除を容易に行うことができる。
【００４９】
【発明の効果】
第一の発明によると、メンブレン・フィルタを迂回する迂回路及び迂回路の開閉操作をする開閉弁を設けている。したがって、メンブレン・フィルタを通った流速の小さい水流が通過するメンブレン・フィルタの下流側に設けられたフィルタ等の洗浄を、メンブレン・フィルタを通過しない流速の大きい水流を通過させることによって、十分且つ確実に行うことができる。
したがって、簡単な構造で安価であるとともに、フィルタの使用寿命を長くし、長期に渡って信頼性のある浄化水を得ることができる。また、洗浄が容易で簡単である。
【００５０】
第二の発明によると、プリフィルタとメンブレン・フィルタとの間で分岐して迂回させるようにしている。
したがって、比較的大きな不浄化物のない水流によって、フィルタを洗浄することができるので、洗浄をより確実且つ十分に行うことができる。
【００５１】
第三の発明によると、カーボン・フィルタをメンブレン・フィルタの上流側に設けた場合には、カーボン・フィルタの上流側で迂回路を分岐するようにしている。
したがって、カーボン・フィルタによって、生物に有害な塩素ガス等を未だ除去しない水流を迂回させて、メンブレン・フィルタの下流側にある他のフィルタを通過することができるので、該他のフィルタに蓄積された不浄化物のみならず雑菌をも除去することができる。
【００５２】
第四の発明又は第五の発明によると、メンブレン・フィルタの下流側に設けたミネラル・フィルタ又はカーボン・フィルタを、メンブレン・フィルタを迂回した流速の大きい水流で洗浄することができるので、洗浄を十分且つ確実に行うことができるとともに、ミネラル・フィルタ又はカーボン・フィルタの使用寿命を長くするとともに、長期に渡って信頼性のある浄化水を得ることができる。
【００５３】
第六の発明によると、圧力ポンプが設けられ、メンブレン・フィルタの上流側にカーボン・フィルタが設けられた浄水器についても、迂回路をカーボン・フィルタの上流側で分岐させることによって、メンブレン・フィルタの下流側に設けたミネラル・フィルタに蓄積された不浄化物及び雑菌の除去を確実且つ十分に行うことができて、ミネラル・フィルタの使用寿命を長くするとともに、長期に渡って信頼性のある浄化水を得ることができる。
【図面の簡単な説明】
【図１】第一の実施の形態に係る浄水器を示す概略図
【図２】第一の実施の形態に係る浄水器の部品を示す図
【図３】第二の実施の形態に係る浄水器を示す概略図
【図４】第三の実施の形態に係る浄水器を示す概略図
【符号の説明】
１、５０、７０…浄水器
２、６２…迂回路
３、６３…開閉弁
４、６４…分岐点
５、６５…合流点
【図１】
0003753840.tif 000002
【図２】
0003753840.tif 000003
【図３】
0003753840.tif 000004
【図４】
0003753840.tif 000005